(57)【特許請求の範囲】
【請求項１】
複数の開口部を有する外装カバー部材と、
外装カバー部材の開口部にそれぞれ挿入される複数のキートップ部と、複数のキートップ部の周囲に位置し、かつキートップ部と離間しているキーフレーム部と、キートップ部とキーフレーム部を連結し、キーフレーム部に対して複数のキートップ部を弾性的に支持する複数の弾性ランナー部と、からなるボタン部材と、
ボタン部材に対向する面に電気基板導電接点部を有する電気基板と、
ボタン部材の複数のキートップ部のそれぞれに対向する位置に配置された複数のゴムキー部と、各ゴムキー部のキートップ部と反対側の端部に設けられ、電気基板導電接点部に対向かつ離間して配置された複数のゴムスペーサ導電接点部と、複数のゴムキー部を一体的に連結するベース部と、からなり、ボタン部材と電気基板の間に配置されたゴムスペーサ部材と、
からなる操作パネルボタン構造であり、
前記ボタン部材のキーフレーム部もしくは弾性ランナー部の一部に、前記外装カバー部材からボタン部材側に突出した突起部と、前記ゴムスペーサ部材のベース部からボタン部材側に突出した突起部に挟まれる、少なくとも１つの挟持部を設けたことを特徴とする電子機器装置の操作パネルボタン構造。
【請求項２】
前記ボタン部材の挟持部が、キーフレーム部の弾性ランナー部との接続部近傍、もしくは、弾性ランナー部のキーフレーム部との接続部近傍、に設けられたことを特徴とする請求項１に記載の電子機器装置の操作パネルボタン構造。
【請求項３】
前記ボタン部材が半透明または透明な材料からなることを特徴とする請求項１又は２に記載の電子機器装置の操作パネルボタン構造。
【発明の詳細な説明】
【０００１】
【発明の属する技術分野】
本発明は、電話機やファクシミリ装置などの電子機器装置の操作パネルボタン構造に関するものである。
【０００２】
【従来の技術】
電話機やファクシミリ装置などの電子機器装置の操作パネルボタン構造の第１の従来例を図８に示す。図８において、５１は複数の開口部を有する外装カバー部材である。５２は前記開口部に挿入された不透明材料からなるボタン部材であり、キートップ部５３、キーフレーム部５４、弾性ランナー部５５より構成されている。５６は電気基板であり、複数のタクトスイッチ５７が実装されている。電気基板５６は図示しない固定方法で外装カバー部材５１に対して規程の位置に固定されている。ボタン部材５２のキートップ部５３には肉抜き部５８とスイッチ押圧部５９が設けられており、ボタン部材５２は不透明材料で成形されているため、肉抜き部５８やスイッチ押圧部５９は外観からは見えない構成となっている。ボタン部材５２のキーフレーム部５４には外装カバー部材５１側へ突出した第１の突起６０と電気基板５６側へ突出した第２の突起６１が設けられており、外装カバー部材５１からボタン部材５２側へ突出した第３の突起６２と電気基板５６の間に挟まれることにより、図８における上下の位置決めがされる構成となっている。
【０００３】
図８に示す従来例においては、上述のようにボタン部材５２のキーフレーム部５４が外装カバー部材５１の第３の突起６２と電気基板５６の間に挟まれているため、装置操作者が第１のキートップ部５３ａを操作したときに、第１のキートップ部５３ａの振動や細かな揺れなどが第２のキートップ部５３ｂに伝播し、第２のキートップ部５３ｂが細かく動くのを防ぐ構成となっている。
【０００４】
しかし近年、特に家庭で使用される電話機やファクシミリ装置においては高級感、清潔感やデザインの自由度から不透明材料ではなく、半透明または透明な材料からなるボタン部材を使用することが多くなっている。半透明または透明な材料のボタン部材を使用した場合の操作パネルボタン構造を、第２の従来例として図９に示す。図９において、７１は複数の開口部を有する外装カバー部材である。７２は前記開口部に挿入されたボタン部材であり、キートップ部７３、キーフレーム部７４、弾性ランナー部７５より構成されている。７６は電気基板である。
【０００５】
ここでボタン部材７２は透明材料で成形されているため、図８に示すようにキートップ部に肉抜き部を設けると肉抜き部の形状が外観から見えてしまうため、図９に示すように肉抜き部を設けない構成となっている。よって成形時のヒケなどの問題からキートップ部の肉厚を薄くしなければいけないという制約が生ずる。またボタン部材７２は透明材料で成形されているため、印刷などの処理により装置内部が外観から見えないようにする必要があり、透明材料の質感的効果を出すために図９においてキートップ部７３の下面に印刷処理を施すのが一般的である。ここでボタン部材７２の下面に突起部があると印刷処理が行うのが困難であるため、ボタン部材７２の下面は平面もしくは平面に近い曲率をもった面となっているのが一般的である。上記理由により透明材料からなるボタン部材７２の下面は外装カバー部材７１の上面と略平行な面となっているのが一般的である。
【０００６】
一方で特に家庭用の電話機やファクシミリ装置の操作パネルの外装カバー部材７１は、デザイン的観点から図９に示すように曲面で構成することが多くなっている。このためボタン部材７２の各キートップ部７３ａ，７３ｂと平面である電気基板７６との間隔は様々な距離となることが多い。
【０００７】
このため図９に示すように、ボタン部材７２と電気基板７６との間にゴムスペーサ部材７８を配置するという構成が一般的となっている。
【０００８】
ゴムスペーサ部材７８はゴムキー部７９、ベース部８０より構成されており、ゴムキー部７９には導電接点部８１とスカート部８２が設けられている。電気基板７６には図９において上面に導電接点部７７が設けられており、装置操作者がキートップ部７３を押下するとスカート部８２が座屈してゴムキー部７９が図９において下方に移動してゴムスペーサ導電接点部８１と電気基板導電接点部７７が接触する構成が一般的となっている。
【０００９】
またボタン部材７２はキートップ部７３がゴムスペーサ部材７８のゴムキー部７９の上面に乗ることにより上下方向の位置が決まる構成が一般的となっている。
【００１０】
【発明が解決しようとする課題】
しかしながら上記第２の従来例においては、ボタン部材７２のキートップ部７３がゴムスペーサ部材７８のゴムキー部７９の上面に乗っているだけなので、第１のキートップ７３ａを操作したときに、第１のキートップ部７３ａの振動や細かな揺れなどが第２のキートップ部７３ｂに伝播し、第２のキートップ部７３ｂが細かく動いてしまう、いわゆる連れ動きという現象が生じてしまうという問題があった。
【００１１】
この問題を解決する手段としては、図１０に示すように、外装カバー部材９１にボス状の突起部９２を設けて、ボタン部材９３のキーフレーム部の一部に穴を開けた嵌合穴部９４を設けて、ボタン部材９３の嵌合穴部９４を外装カバー部材９１のボス状突起部９２に嵌合するように取り付けることにより、装置操作者が第１のキートップ部９５ａを押下したときの第２のキートップ部９５ｂの連れ動きを防ぐという構成がある。
【００１２】
しかし図１０のような構成の場合においては、以下のような問題が生じる。パネル部を組み立てる際にまずボタン部材９３を外装カバー部材９１に取り付けるが、このとき嵌合穴部９４とボス状突起部９２が嵌合関係にあるため、時としてボタン部材９３の嵌合穴部９４を奥まで組み込まずに中途半端な状態で止まってしまうことがある。この場合も嵌合穴部９４はボス状突起部９２の先端で嵌合状態になるため、そのまま次のゴムスペーサ部材９６や電気基板９７の組立を行うことになる。その結果、常にキートップが落ち込みキー入力されている状態になったり、キートップの操作感が劣るなどの不良が発生する可能性があるという問題があった。
【００１３】
本発明は上記課題に鑑みてなされたものであって、その目的は、デザイン的自由度があり、高級感がありつつも、高品質で操作性に優れ、組立性にも優れた、電子機器装置の操作パネルボタン構造を提供することである。
【００１４】
【課題を解決するための手段】
上記目的を達成するための本発明の代表的な構成は、複数の開口部を有する外装カバー部材と、外装カバー部材の開口部にそれぞれ挿入される複数のキートップ部と、複数のキートップ部の周囲に位置し、かつ複数のキートップ部と離間しているキーフレーム部と、キートップ部とキーフレーム部を連結し、キーフレーム部に対して複数のキートップ部を弾性的に支持する複数の弾性ランナー部と、からなるボタン部材と、ボタン部材に対向する面に電気基板導電接点部を有する電気基板と、ボタン部材の複数のキートップ部のそれぞれに対向する位置に配置された複数のゴムキー部と、各ゴムキー部のキートップ部と反対側の端部に設けられ、電気基板導電接点部に対向かつ離間して配置された複数のゴムスペーサ導電接点部と、複数のゴムキー部を一体的に連結するベース部と、からなり、ボタン部材と電気基板の間に配置されたゴムスペーサ部材と、からなる操作パネルボタン構造であり、前記ボタン部材のキーフレーム部もしくは弾性ランナー部の一部に、前記外装カバー部材からボタン部材側に突出した突起部と、前記ゴムスペーサ部材のベース部からボタン部材側に突出した突起部に挟まれる、少なくとも１つの挟持部を設けたことを特徴とする。
【００１５】
また、前記ボタン部材の挟持部が、キーフレーム部の弾性ランナー部との接続部近傍、もしくは、弾性ランナー部のキーフレーム部との接続部近傍、に設けられたことを特徴とする。
【００１６】
また、前記ボタン部材が半透明または透明な材料からなることを特徴とする。
【００１７】
上記構成により、ゴムスペーサ部材を使用した操作パネルボタン構造において、装置操作者があるキートップを操作したときに該キートップの振動や細かな揺れが、近傍のキートップに伝播し、近傍のキートップが細かく動くのを回避することが可能となる。
【００１８】
【発明の実施の形態】
以下、図面を参照して、本発明の好適な実施の形態を例示的に詳しく説明する。ただし、以下の実施形態に記載されている構成部品の寸法、材質、形状、それらの相対配置などは、本発明が適用される装置の構成や各種条件により適宜変更されるべきものであり、特に特定的な記載がない限りは、本発明の範囲をそれらのみに限定する趣旨のものではない。
【００１９】
以下に本発明を電子機器装置としてのファクシミリ装置に適用した場合の一実施形態について添付の図面を参照して説明する。
【００２０】
図１は本発明を適用したファクシミリ装置の外観斜視図である。図２〜図４はそれぞれ、本発明を適用したファクシミリ装置の操作パネル部を構成している部材の一つであるボタン部材、ゴムスペーサ部材、電気基板の外観斜視図である。図５は図１〜図４に示したファクシミリ装置の操作パネル部のＡ−Ａ断面図である。
【００２１】
尚、ファクシミリ装置本体は、読取対象物である原稿などの画像情報を読み取る読取部や、記録対象物である記録紙などに画像を記録する記録部などを備えているが、これらは周知の技術であるため、ここでは詳しい説明は省略する。
【００２２】
以下、ファクシミリ装置の操作パネルボタン構造の一実施形態について詳しく説明する。
【００２３】
図１〜図５において、１は操作パネル、２はファクシミリ装置本体、３はハンドセットである。操作パネル１は、外装カバー部材４、第１のボタン部材５、第２のボタン部材６、第３のボタン部材７、ＬＣＤ表示部８、ゴムスペーサ部材９、電気基板１０より構成されている。
【００２４】
まず第１〜第３のボタン部材に関して説明する。第１〜第３のボタン部材（本実施形態ではこれ以後第１のボタン部材を例としてボタン構造の説明をする。よってこれ以後「第１のボタン部材」を単に「ボタン部材」と呼ぶことにする。尚、第２、第３のボタン部材の本発明に係る主要な構成は、以下に例示して説明する第１のボタン部材と同様である。）は透明材料からなる樹脂材料により成形されている。
【００２５】
ボタン部材５は図２、図５に示すようにキートップ部１１、キーフレーム部１２、弾性ランナー部１３により構成されている。図５に示すように、外装カバー部材４は複数の開口部１４を有しており、ボタン部材５のキートップ部１１は前記外装カバー部材４の開口部１４に挿入される構成となっている。図２に示すように、キーフレーム部１２は複数のキートップ部１１の周囲に配置され、かつキートップ部１１とは離間した位置に配置されている。弾性ランナー部１３はキートップ部１１とキーフレーム部１２を連結する位置に配置され、キーフレーム部１２に対して複数のキートップ部１１を弾性的に支持する構成となっている。図５に示すように、弾性ランナー部１３はキーフレーム部１２よりも板厚が薄くなっており、装置操作者がキートップ部１１を図５において下方向に押下すると、適切な反発力を持ちつつ弾性ランナー部１３が撓んでキートップ部１１が図５において下方向に移動する構成となっている。
【００２６】
またボタン部材５は透明樹脂材料により成形されているため、そのままではキートップ部１１を通して装置内部が可視状態となってしまう。そこで、ボタン部材５全体を塗装したり、キートップ部１１の表面もしくは裏面（図５においてキートップ部１１の上面を表面、下面を裏面とする）の少なくとも片方を印刷することにより、装置内部を不可視状態にする必要がある。
【００２７】
しかしボタン部材５が透明材料からなっていることを装置使用者に認識させて、高級感、清潔感を感じさせるには、ボタン部材５全体を塗装したり、キートップ部１１の表面全体に印刷処理を施すのは好ましくない。
【００２８】
よって本実施形態でのボタン部材５はキートップ部１１の裏面全体に印刷処理を施し、キートップ部１１の表面には必要に応じて全体ではなく一部に印刷処理を施している。こうすることにより、透明材料を使用することによる高級感、清潔感を疎外することなく装置内部を不可視状態にすることが可能となっている。また、透明材料への印刷処理を施すことにより、不透明樹脂材料での成形では表現し難い、光沢系の色彩表現や、同一部材内での多数色の表現を可能とし、不透明材料に比べてデザイン的自由度を向上させている。
【００２９】
上記のようにキートップ部１１の裏面に印刷処理を施すために、ボタン部材５の裏面は図５に示すように平面もしくは平面に近い曲率を持った面となっており、ボタン部材５の裏面から図５において下方に突出する突起部もなく、キートップ部１１においては肉抜き形状も存在しない構成となっている。このようにボタン部材５の裏面が凹部も凸部もなく、平面に近い曲率となっているので、キートップ部１１の裏面への印刷処理が容易に行うことが可能となっている。
【００３０】
また上記のようにボタン部材５のキートップ部１１には肉抜き処理が施されていないため、ボタン部材成形時にキートップ部１１にヒケなどの不良を発生する可能性がある。このため、キートップ部１１の厚みを成形時に不良が発生しない適切な値としている。
【００３１】
次に電気基板１０に関して説明する。図４、図５に示すように、電気基板１０の回路パターン面には複数の電気基板導電接点部１５が設けられている。（図４、図５においては導電接点部１５以外のパターンは省略している。また説明のために導電接点部１５を実際よりも高く図示している。）図５に示すように、電気基板導電接点部１５は電気基板１０のボタン部材５に対向する側の面の、ボタン部材５の複数のキートップ部１１のそれぞれに対応する個所に設けられている。
【００３２】
次にゴムスペーサ部材９に関して説明する。上記ボタン部材の項で説明したように、ボタン部材５はキートップ部１１の厚みに成形上の制限があるので、ボタン部材５の裏面は外装カバー部材４の外装面（図５における上面）と略平行な面となっている。
【００３３】
ここで、本実施形態でのファクシミリ装置のパネル外装面は図５に示すように曲面で構成し、家庭での使用を想定した時のフォルムデザインの自由度向上を実現している。よってボタン部材５の裏面は曲面となっている。
【００３４】
一方、電気基板１０は１枚の基板で構成されている。こうすることにより複数枚の基板で構成するよりも回路パターンを効率的に形成し、連結するケーブルやコネクタの削除をすることが可能となり、装置の簡易化、小型化、及びコストの低減を実現している。よって電気基板１０は平面となっている。
【００３５】
このため、ボタン部材５の各キートップ部１１と電気基板１０との間隔は様々な距離を有することになっている。このため、図５に示すように、ボタン部材５と電気基板１０との間にゴムスペーサ部材９を配置している。図３、図５に示すように、ゴムスペーサ部材９は複数のゴムキー部１６と、複数のゴムキー部１６を一体的に連結するベース部１７と、により構成されている。各ゴムキー部１６はボタン部材５のキートップ部１１のそれぞれと電気基板１０に挟まれる位置に配置されており、各ゴムキー部１６のキートップ部１１と反対側の端部にはゴムスペーサ導電接点部１８とスカート部１９が設けられており、ゴムキー部１６はスカート部１９によりベース部１７と連結されている。
【００３６】
なお、図６に示すように、前記ゴムキー部（図５に示す１６）を、穴を空けたゴムキー部２０とし、電気基板１０のゴムキー部２０の穴に対応する個所にＬＥＤなどの光源２１を配置することにより、キートップ部１１を照光式にすることも可能である。この場合、図６に示すように、ゴムキー部２０の穴をすり鉢状にして、ゴムスペーサ部材９の色を白色にすることによりゴムキー部２０をライトガイドとして使用することも可能である。
【００３７】
なお、本実施形態ではボタン部材と電気基板とのスペーサとしてゴムスペーサ部材を、また電気的接点手段として導電接点部を使用しているが、ボタン部材と電気基板とのスペーサとして樹脂スペーサを、電気的接点手段としてタクトスイッチを使用する構成も考えられる。しかし照光式キートップを構成する場合に、ＬＥＤなどの光源とタクトスイッチの両方をキートップの真下に配置することは困難である。よってタクトスイッチもしくは光源をキートップの真下から移動させることになる。タクトスイッチをキートップの真下から移動させた場合はタクトスイッチをＯＮさせるためのキートップの上下移動量が照光式キートップと非照光式キートップで異なるため、均一したボタン操作感が得られない。またＬＥＤなどの光源をキートップの真下から移動させた場合はライトガイドなどの部材が必要となり、構造の複雑化、コストの増大を招く結果となる。本実施形態ではゴムスペーサ部材、導電接点部を使用することにより、均一したボタン操作感と簡易構造と低コストでの照光式キートップ構成を可能としている。
【００３８】
次にボタン部材５の高さ方向の位置決め方法に関して図２、図５を用いて説明する。図５において、ゴムスペーサ部材９と電気基板１０は外装カバー部材４に対して図示しない締結手段により位置決めされている。一方、ボタン部材５はゴムスペーサ部材９の図５における上面に乗る構成となっており、図２、図５に示すキーフレーム部１２の一部である挟持部２２が、図５に示すように外装カバー部材４からボタン部材側に突出した外装カバー突起部２３とゴムスペーサ部材９のベース部１７からボタン部材側に突出したゴムスペーサ突起部２４の間に挟まれている。なお、図２、図５にはボタン部材５の１ヶ所の挟持部２２を示しているが、後述するキートップの連れ動き防止のためにボタン部材５は複数の挟持部２２を有し、これに対応して外装カバー部材４は複数の外装カバー突起部２３を有し、ゴムスペーサ部材９は複数のゴムスペーサ突起部２４を有する構成となっている。上記のようにボタン部材５は、挟持部２２が外装カバー突起部２３とゴムスペーサ突起部２４に挟まれ、また各キートップ部１１がゴムスペーサ部材９の対応する各ゴムキー部１６の上に乗ることにより高さ方向の位置が決定される構成となっている。
【００３９】
ここで本実施形態の操作パネル１の組立工程について図５を用いて説明する。図５における断面図を上下逆にして、まず外装カバー部材４にボタン部材５を組込む。このとき外装カバー部材４とボタン部材５の間で嵌合関係になる個所はないため、ボタン部材５の挟持部２２が外装カバー突起部２３に当接し、弾性ランナー部１３が若干撓んだ状態でキートップ部１１が外装カバー部材４の裏面に当接した状態となる。次にゴムスペーサ部材９と電気基板１０を組込み図示しない締結手段で外装カバー部材４と、ゴムスペーサ部材９、電気基板１０とを締結し、操作パネル１を裏返して図５の状態となる。上記のように本実施形態においては、簡単な組立工程を実現しつつ、組立不良によるキートップの落ち込みやキートップの操作感劣化などの問題発生を防止している。
【００４０】
次に装置操作者がボタン部材５のキートップ部１１を押下したときのボタン部材５およびゴムスペーサ部材９の動きに関して図７を用いて説明する。図７において、装置操作者が第１のキートップ部１１ａを押下すると、挟持部２２は外装カバー突起部２３とゴムスペーサ突起部２４に挟まれているので動かず、挟持部２２と第１のキートップ１１ａを連結している第１の弾性ランナー部１３ａが撓んで第１のキートップ１１ａは図７において下方に移動する。そうするとゴムスペーサ部材９の第１のキートップ１１ａに対応した第１のスカート部１９ａが図７に示すように座屈して、第１のゴムキー部１６ａが図７において下方に移動して第１のゴムスペーサ導電接点部１８ａが電気基板導電接点部１５ａおよび１５ｂと接触して電気基板導電接点部１５ａ，１５ｂが短絡されることにより、第１のキートップ部１１ａが押下されたことをファクシミリ装置が認識する構成となっている。このとき図７に示すように、ボタン部材５の挟持部２２は外装カバー突起部２３とゴムスペーサ突起部２４に挟まれて動かないので、装置操作者が第１のキートップ部１１ａを操作したときの振動や細かな揺れが第２の弾性ランナー部１３ｂを介して伝播し、第２のキートップ部１１ｂが細かく動いてしまうことを防いでいる。
【００４１】
上記のように本実施形態においては、デザイン的自由度があり、高級感、清潔感を実現する透明樹脂材料からなるボタン部材を使用しつつも、装置操作者があるキートップを操作した際に、他のキートップが連れ動きをすることがなく、高品質で操作性に優れ、かつ組立性に優れた操作パネルボタン構造を実現している。
【００４２】
なお、本実施形態においては図２に示すように、ボタン部材の挟持部２２はキーフレーム部１２の一部で弾性ランナー部１３との接続部近傍に配置されているが、挟持部２２が弾性ランナー部１３上に配置されていても同様の効果が得られる。但し、その場合、挟持部からキートップ部と反対側（キーフレーム部側）の弾性ランナー部は動かなくなってしまうため、キートップ部押下に対する反発力を適切な値にするためには弾性ランナー部の長さを長く設定する必要が生じてしまい、構造の複雑さを招くこととなる。よって挟持部を弾性ランナー部上に配置するときには、キーフレーム部との接続部近傍に配置することにより簡単な構成でキートップ部押下に対する適切な反発力を実現することが可能となる。
【００４３】
また、本実施形態においてはボタン部材の材料を透明材料としているが、半透明材料からなるボタン部材としても同様の効果が得られる。
【００４４】
また、本実施形態においては、電子機器装置としてのファクシミリ装置の操作パネルボタン構造を例示して説明したが、本発明はこれに限定されるものではない。例えば、電話機などの操作パネルにボタンを有する他の電子機器装置に本発明に係る操作パネルボタン構造を適用しても同様の効果が得られる。
【００４５】
【発明の効果】
以上説明したように、本発明によれば、簡単な組立性を実現しつつも、装置操作者があるキートップを操作したときに、該キートップの振動や細かな揺れが近傍のキートップに伝播して、近傍のキートップが細かく動いてしまう、連れ動き現象を防ぐことが可能となる。
【００４６】
【図面の簡単な説明】
【図１】本発明を適用したファクシミリ装置の外観斜視図
【図２】本発明を適用したファクシミリ装置の操作パネル部を構成しているボタン部材の概観斜視図
【図３】本発明を適用したファクシミリ装置の操作パネル部を構成しているゴムスペーサ部材の概観斜視図
【図４】本発明を適用したファクシミリ装置の操作パネル部を構成している電気基板の概観斜視図
【図５】本発明を適用したファクシミリ装置の操作パネル部の断面図
【図６】照光式キートップの場合の操作パネル部の断面図
【図７】キートップを押下した状態での操作パネル部の断面図
【図８】不透明材料からなるボタンの従来構造例を示す図
【図９】透明材料からなるボタンの従来構造例を示す図
【図１０】外装部材との嵌合個所を有する透明材料からなるボタンの従来構造例を示す図
【符号の説明】
１    …操作パネル
２    …本体
３    …ハンドセット
４    …外装カバー部材
５，６，７ …ボタン部材
８    …ＬＣＤ表示部
９    …ゴムスペーサ部材
１０  …電気基板
１１  …キートップ部
１２  …キーフレーム部
１３  …弾性ランナー部
１４  …開口部
１５  …電気基板導電接点部
１６  …ゴムキー部
１７  …ベース部
１８  …ゴムスペーサ導電接点部
１９  …スカート部
２０  …ゴムキー部
２１  …光源
２２  …挟持部
２３  …外装カバー突起部
２４  …ゴムスペーサ突起部
【図１】
0003984815.tif 000002
【図２】
0003984815.tif 000003
【図３】
0003984815.tif 000004
【図４】
0003984815.tif 000005
【図５】
0003984815.tif 000006
【図６】
0003984815.tif 000007
【図７】
0003984815.tif 000008
【図８】
0003984815.tif 000009
【図９】
0003984815.tif 000010
【図１０】
0003984815.tif 000011